(57)【要約】      （修正有）【課題】有効容積の比率が最適化されたポットを提供する。【解決手段】電気加熱底部の上方に設けられた本体部３と、沸騰時に放出される蒸気を蒸気検出センサの方へ運ぶための蒸気管路１０とを備え、蒸気管路１０が本体部３の内縁９に設けられた流入開口部を備えるポット１であって、流入開口部より下で本体部３の内部に向けて延びる穿孔隔壁２１が水および蒸気の上向流に対して大部分で横断方向に延びることで沸騰時に水および蒸気の上向流を少なくとも部分的に阻止し、および／または偏向させる沸騰時の蒸気管路１０内への水の浸入を防ぐ保護装置２０を装備する。穿孔隔壁２１は、流入開口部１１が設けられた本体部３の内縁９から流入開口部１１より下で延びることによって、内縁９に沿って加熱底部から進行する水および蒸気の上向流に対する障壁を形成し、それによって上向流を流入開口部１１から遠ざける。【選択図】図２
0003221314.tif 000002
【実用新案登録請求の範囲】
【請求項１】
電気加熱底部（８）の上方に設けられた本体部（３）と、沸騰時に放出される蒸気を蒸気検出センサの方へ運ぶための蒸気管路（１０）とを備え、前記蒸気管路（１０）が前記本体部（３）の内縁（９）に設けられた流入開口部（１１）を備えるポット（１）であって、前記流入開口部（１１）より下で前記本体部（３）の内部に向けて延びる穿孔隔壁（２１）が水および蒸気の上向流に対して大部分で横断方向に延びることで沸騰時に水および蒸気の上向流を少なくとも部分的に阻止し、および／または偏向させる沸騰時の前記蒸気管路（１０）内への水の浸入を防ぐ保護装置（２０）を備えるポット（１）において、前記穿孔隔壁（２１）は、前記流入開口部（１１）が設けられた前記本体部（３）の前記内縁（９）から前記流入開口部（１１）より下で延びることによって、前記内縁（９）に沿って前記電気加熱底部（８）から進行する水および蒸気の上向流に対する障壁を形成し、それによって上向流を前記流入開口部（１１）から遠ざける、ポット（１）。
【請求項２】
前記穿孔隔壁（２１）は前記流入開口部（１１）の下の前記内縁（９）沿いに延びる無孔部分（２０１）を備える、請求項１に記載のポット（１）。
【請求項３】
前記穿孔隔壁（２１）は、沸騰時の水の上向流の垂直方向に対する少なくとも１つの傾斜面（２４）であって、上向流を前記流入開口部（１１）から偏向させて遠ざけるための傾斜面（２４）を有する、請求項１に記載のポット（１）。
【請求項４】
前記穿孔隔壁（２１）は、前記流入開口部（１１）にセンタリングされた円形の自由端（２２）を備える、請求項１乃至３のいずれか一項に記載のポット（１）。
【請求項５】
前記穿孔隔壁（２１）は細長い穿孔穴（２３）を備える、請求項１乃至４のいずれか一項に記載のポット（１）。
【請求項６】
前記保護装置（２０）は、前記細長い穿孔穴（２３）の上方に設けられたブロック手段（２５）を備える、請求項１乃至５のいずれか一項に記載のポット（１）。
【請求項７】
前記ブロック手段（２５）は、前記穿孔隔壁（２１）に対して１から５ミリメートルの間、好ましくは３ミリメートルの距離を隔てて平行に延びる、請求項６に記載のポット（１）。
【請求項８】
前記ブロック手段（２５）は貫通開口部（２６）を有すること、および前記ブロック手段（２５）は水平面への垂直投影で前記穿孔隔壁（２１）の前記細長い穿孔穴（２３）の面積の５０から９０％、好ましくは８０％を覆う、請求項６または７に記載のポット（１）。
【請求項９】
蓋部（４０）を備えること、および前記穿孔隔壁（２１）が前記蓋部（４０）の下に設けられる、請求項１乃至８のいずれか一項に記載のポット（１）。
【請求項１０】
前記蒸気管路（１０）は前記内縁（９）に沿って延びること、および前記蒸気管路（１０）は前記穿孔隔壁（２１）を貫通する、請求項１乃至９のいずれか一項に記載のポット（１）。
【請求項１１】
前記保護装置（２０）は沸騰時の水の上向流の方向に沿った垂直リブ（３０）を備え、前記垂直リブ（３０）は前記穿孔隔壁（２１）の下に設けられて、前記流入開口部（１１）が設けられた前記本体部（３）の前記内縁（９）から前記本体部（３）の内部に向けて延びる、請求項１乃至１０のいずれか一項に記載のポット（１）。
【請求項１２】
前記垂直リブ（３０）は前記流入開口部（１１）に関して径方向に延びる、請求項１１に記載のポット（１）。
【請求項１３】
前記流入開口部（１１）と直径方向に対向するように設けられた注ぎ口（５）を備えること、および前記保護装置（２０）は沸騰時の水および蒸気の上向流を前記注ぎ口（５）の方に偏向させる、請求項１乃至１２のいずれか一項に記載のポット（１）。
【請求項１４】
前記本体部（３）は前記注ぎ口（５）に向かう貫通開口部（１３）を備えること、および前記貫通開口部（１３）は補給最高水位の水面より下に設けられる、請求項１３に記載のポット（１）。
【考案の詳細な説明】
【技術分野】
【０００１】
この考案は、液体加熱装置に関し、特に、水受け容器を形成する本体部と、電気加熱底部と、沸騰検出装置とを備える電気ポットに関する。
【背景技術】
【０００２】
特許文献１などにより、電気加熱底部の上方に設けられた本体部と、沸騰時に放出される蒸気を蒸気検出センサの方へ運ぶための蒸気管路であって、本体部の内縁に本体部の給水最高水位の上方に設けられた流入開口部を有する蒸気管路とを備えるポットが知られている。
【０００３】
このようなポットでは、加熱時には、水および蒸気の上向流が生じ、沸騰に近づくにつれて自由水面に次第に大きな動揺や飛散を生じるようになる。水の飛沫が流入開口部から蒸気管路に入り込んで蒸気検出センサを傷めるのを防ぐため、水の自由水面の上方に大きな空気体積が残るような補給最高水位とすることでポットの有効容積が制限される。空気体積はポットの全容積の４０％までを占める可能性がある。そうすることにより、蒸気管路の開口部から補給最高水位の水面までの距離は、飛沫が蒸気管路に入らないようにするのに十分なものとなる。
【０００４】
そのため、所与の有効加熱容積を得るためのポットの容積全体は大きなものとなり、ユーザはその利用や片付けのための場所を見つけるのにひと苦労ということになりかねない。さらに、ポットの梱包もかさばり、ポットを生産工場からユーザのもとに送り届けるためのコストもかさむ。
【０００５】
特許文献２により、電気加熱底部の上方に設けられた本体部と、沸騰時に放出される蒸気を蒸気検出センサの方へ運ぶための蒸気管路であって、本体部の内縁に設けられた流入開口部を有する蒸気管路とを備えるポットも知られている。ポットは、沸騰時に蒸気管路内に水が浸入するのを防ぐ装置であって、流入開口部の下を加熱底部から本体部の内部へと延びる穿孔隔壁を含む装置を備える。穿孔隔壁は、水および蒸気の上向流に対して大部分で横断方向に延び、それによって沸騰時に水および蒸気の上向流を少なくとも部分的に阻止し、および／または偏向させる。
【０００６】
しかし、この穿孔隔壁が加熱底部から内縁に沿って進行する水および蒸気の上向流を阻止することはない。そのため、それらの流れによって発生する水の飛沫が流入開口部から蒸気管路に入り込んで蒸気検出センサを傷めることがないようにするため、前述のケースと同様にポットの有効容積が制限される。
【先行技術文献】
【特許文献】
【０００７】
【特許文献１】ＥＰ０７８６２２１
【特許文献２】ＧＢ２４９６４０４
【考案の概要】
【考案が解決しようとする課題】
【０００８】
この考案の目的の１つは、上述の不都合に対処して、全容積に対する有効容積の比率が最適化された小型ポットを提案することである。
【０００９】
この考案のもう１つの目的は、設計が単純で経済的に実施することができるポットを提案することである。
【課題を解決するための手段】
【００１０】
これらの目的は、電気加熱底部の上方に設けられた本体部と、沸騰時に放出される蒸気を蒸気検出センサの方へ運ぶための蒸気管路とを備え、前記蒸気管路が本体部の内縁に設けられた流入開口部を備えるポットであって、流入開口部より下で本体部の内部に向けて延びる穿孔隔壁が水および蒸気の上向流に対して大部分で横断方向に延びることで沸騰時に水および蒸気の上向流を少なくとも部分的に阻止し、および／または偏向させる沸騰時の蒸気管路内への水の浸入を防ぐ保護装置を備えるポットにおいて、穿孔隔壁は、流入開口部が設けられた本体部の内縁から流入開口部より下で延びることによって、内縁に沿って加熱底部から進行する水および蒸気の上向流に対する障壁を形成し、それによって上向流を流入開口部から遠ざけることを特徴とするポットによって果たされる。
【００１１】
このように、穿孔隔壁は開口部の周囲に設けられ、垂直方向よりむしろ内縁に関して径方向に延びる。穿孔隔壁は、沸騰時に水および蒸気の上向流を阻止し、偏向させる無孔部分と、上向流の一部、とりわけ無孔部分の下で阻止された蒸気を通すことができる穿孔穴とを備える。水および蒸気が穿孔穴を通ると、上向流のエネルギーの一部を散逸させる渦乱流を生じる。
【００１２】
このような構成は、沸騰時に水面の動揺を減らし、蒸気管路の流入開口部の周辺における飛散の大きさを制限することができる。そのため、蒸気管路の開口部から補給最高水位にある水面までの距離は、沸騰時に蒸気管路内に水が浸入するリスクを冒すことなしに短くすることができ、水の自由水面の上方の空気体積を制限することができる。その結果、ポットはよりコンパクトな（特に高さに関して）ものとすることができる。
【００１３】
補給最高水位とは、ユーザのためにポットの本体部で実現される最高水位をいう。
【００１４】
好ましくは、穿孔隔壁は流入開口部より下の内縁沿いに延びる無孔部分を備える。
【００１５】
この配置により、加熱底部から内縁に沿って進行する水および蒸気の上向流を阻止し／遠ざけることで流入開口部を保護することができる。
【００１６】
有利には、穿孔隔壁は、沸騰時の水の上向流の垂直方向に対する少なくとも１つの傾斜面であって、上向流を流入開口部から偏向させて遠ざけるための傾斜面を有する。
【００１７】
このような配置は、水面の動揺の軽減および流入開口部の周りの飛散の大きさの制限に改善をもたらすことができる。
【００１８】
有利には、穿孔隔壁は流入開口部にセンタリングされた円形の自由端を備える。
【００１９】
そうして、流入開口部は、水面の動揺の軽減および飛散の大きさの制限のための均衡した対称形のゾーンに取り囲まれる。
【００２０】
有利な変形実施形態では、本体部は横断方向に半径Ｒの円形断面を有し、穿孔隔壁は２つの半径と１つの円弧で形成される角領域に内接し、流入開口部はその円弧の中心近くに設けられる。
【００２１】
好ましくは、穿孔隔壁は細長い穿孔穴を備える。
【００２２】
そうした幅より長さの方が大きい穿孔穴は上向流をよりよく抑制するとともに、蒸気の泡を細かくすることができる。
【００２３】
有利には、保護装置は、穿孔穴の上方に設けられたブロック手段を備える。
【００２４】
それにより、水および蒸気の上向流のうち、穿孔穴を通り抜けた部分を阻止し、偏向させるための障害物が穿孔穴の上方に作り出される。
【００２５】
好ましくは、ブロック手段は穿孔隔壁に対して１から５ミリメートルの間、好ましくは３ミリメートルの距離を隔てて平行に延びる。
【００２６】
そのため、穿孔隔壁とブロック手段の間に流れの流動ゾーンが形成される。この流動ゾーンは、水および蒸気の上向流のうち、穿孔穴を通り抜けた部分の大半を流入開口部から遠ざけるように向きづける。
【００２７】
有利には、ブロック手段は貫通開口部を有し、また水平面への垂直投影で穿孔隔壁の穿孔穴の面積の５０から９０％、好ましくは８０％を覆う。
【００２８】
そのため、保護装置を通過する上向流はそのごく一部に限られる。さらに、水および蒸気がブロック手段の周囲を通ることによっても渦乱流が作り出され、それによって、保護装置を通り抜けるごく限られた部分の上向流のエネルギーの一部が散逸する。
【００２９】
好ましくは、ポットは蓋部を備え、穿孔隔壁はその蓋部の下に設けられる。
【００３０】
そのため、穿孔隔壁および蓋部は２つの別個の部品である。したがって、穿孔隔壁は蓋部からは分離されており、かさばらず、取扱いも容易な蓋部を得ることができる。
【００３１】
有利には、蒸気管路は内縁に沿って延び、蒸気管路は穿孔隔壁を貫通する。
【００３２】
そのため、穿孔隔壁は、蒸気管路の流入開口部が設けられた本体部の内縁から流入開口部より下で延び、加熱底部から内縁に沿って進行する水および蒸気の上向流に対する障壁を形成し、それによって上向流を蒸気管路の流入開口部から遠ざける。
【００３３】
好ましくは、保護装置は、沸騰時の水の上向流の方向に沿った垂直リブを備え、そのリブは穿孔隔壁の下に設けられて、流入開口部が設けられた本体部の内縁から本体部の内部に向けて延びる。
【００３４】
そのようにして、リブはそこから水および蒸気の上向流を分割して選好的に流入開口部から離隔するように向きづける流路を画定する。
【００３５】
有利には、リブは流入開口部に関して径方向に延びる。
【００３６】
そうして、リブによって分割された上向流は前方へ、また流入開口部の側面へと分配される。
【００３７】
好ましくは、ポットは、流入開口部と直径方向に対向するように設けられた注ぎ口を備え、保護装置は沸騰時の水および蒸気の上向流を注ぎ口の方に偏向させる。
【００３８】
有利には、本体部は注ぎ口に向かう貫通開口部を備え、その貫通開口部は補給最高水位の水面より下に設けられる。
【００３９】
そのため、補給最高水位では、開口部内に存在する水が注ぎ口から水の飛沫が飛び出すのを防ぐ。
【００４０】
この考案は、何ら限定的でないものとして取り上げ、添付の図面によって図解した実施形態を検証することによってよりよく理解できよう。
【図面の簡単な説明】
【００４１】
【図１】沸騰時に蒸気管への水の浸入を防ぐ、この考案の具体的な実施形態による保護装置を備えるポットの斜視図である。
【図２】図１に示したポットの側面図である。
【図３】図１に示したポットの本体部なしの斜視図である。
【図４】図１に示したポットの沸騰時に蒸気管への水の浸入を防ぐ保護装置の斜視図である。
【図５】図３に示した沸騰時に蒸気管への水の浸入を防ぐ保護装置のＩＶ−ＩＶ断面図である。
【考案を実施するための形態】
【００４２】
本明細書中で、ポットについて説明するために用いる「水平」、「垂直」、「下部」、「上部」、「高」、「低」の表現は、水平な作業面に置いた使用状態のポットについてのものであることに留意されたい。
【００４３】
図１から３に示された実施例では、ポット１は、コード（図示せず）によって電源供給されるベース部２と、水の入れ物をなす本体部３とを備える。本体部３は、蓋部４０によって閉ざされる補給のための上部開口部４を備える。ポット１は、上部開口部４のレベルに位置する注ぎ口５と、上部開口部４に関して注ぎ口５と反対側に位置するハンドル６とを備える。本体部３は、垂直軸７を有するほぼ円筒形をなす。蓋部は本体部３に対して取外し可能であり、蓋部は、本体部３の垂直軸７とほぼ平行な平行移動動作によって本体部３に組立てされるようになっている。
【００４４】
ベース部２はステンレス鋼製の皿部からなる加熱底部８を備えており、その下にアルミニウム製ディフューザと加熱要素が設けられている。ポット１は、沸騰時に本体部３の上部から放出される蒸気をベース部２に設けられた蒸気検出センサ（図示せず）の方へ運ぶための蒸気管路１０を備える。蒸気検出センサに蒸気が押し寄せると、加熱底部８に対する電源供給の切断がトリガされる。蒸気管路１０は本体部３の内縁９に沿って垂直に延び、水平面内に延びる流入開口部１１であって、本体部の上縁部１２の下に設けられた流入開口部を備える。上縁部１２は、本体部３の上部外周に設けられて上部開口部４を形成する。
【００４５】
ポット１は、沸騰時に水が蒸気管路１０の流入開口部１１に水が浸入するのを防ぐ保護装置２０を備える。保護装置２０は、流入開口部１１が広がる水平面よりも下で水平面内に広がる穿孔隔壁２１を備える。穿孔隔壁２１は、流入開口部１１が設けられた内縁９から、補給最高水位の水面によって画定される水平面１５（図２）のレベルで本体部３の内部の方に延びる。
【００４６】
図４および５で見て取れるように、穿孔隔壁２１はほぼ円形の自由端２２を有しており、そのそれぞれの点は流入開口部１１から等距離に位置する。穿孔隔壁（２１）は、流入開口部（１１）の下の内縁（９）沿いに延びる無孔部分（２０１）を備える。有利には、穿孔隔壁２１は、穿孔隔壁２１を通る水平面内の本体部３の断面積の６分の１を占める面積を有する。穿孔隔壁２１は、大半が流入開口部１１にセンタリングされた湾曲を有する細長い穿孔穴２３を備える。穿孔穴２３は、垂直方向に対して傾斜面２４を有する（図５）。
【００４７】
保護装置２０は、穿孔穴２３の上方に設けられたブロック手段２５を備える。ブロック手段は、穿孔隔壁２１に対して平行に設けられた第２の穿孔隔壁２５によって形成される。第２の穿孔隔壁２５は、貫通開口部２６と、穿孔穴２３の上方に設けられた無孔部分２７とを備える。無孔部分２７は、水平面への垂直投影で穿孔隔壁２１の穿孔穴２３の面積の８０％を覆う。穿孔隔壁２１、２５はそれぞれの間に水および蒸気の上向流を水平方向に導く空間を画定する。
【００４８】
保護装置２０は、穿孔隔壁２１の下に設けられた垂直方向のリブ３０を備える。リブ３０は、本体部３の内縁９から流入開口部１１に関して径方向に本体部３の内側に向かって延びる。リブ３０はほぼ長方形の垂直断面を有する。
【００４９】
保護装置２０は２つの側方延伸部２８と、保護装置２０を本体部３の上縁１２に配設することを可能にする固定プレート２９（図１）とを備える。
【００５０】
図１のとおり、注ぎ口５は流入開口部１１とは直径方向反対側に設けられる。本体部３は注ぎ口５に向かう貫通開口部１３を備え、その貫通開口部１３は補給最高水位の水面より下になるように設けられる。
【００５１】
使用時、大量の水を沸かそうとするユーザは、ポット１を補給最高水位まで満たし、ポット１を起動させる。加熱底部８は本体部３内に含まれる水の加熱を始め、沸騰に近づくにつれて、加熱底部８から水の自由水面に向けて水および蒸気の上向流が生まれる。保護装置２０に対して鉛直をなす水の上向流は、リブ３０の間に入り込んで分割され、部分的には阻止された後、傾斜面２４を含んだ穿孔隔壁２１の穿孔穴２３を通り抜けて本体部３の内部へと偏向される。水の上向流のごくわずかな部分は第２の穿孔隔壁２５の貫通開口部２６を通り抜ける。蒸気の上向流はそれよりも容易に保護装置２０を通過する。沸騰によって発生した蒸気は水の水位より上方に集まり、次いで流入開口部１１から蒸気管路１０に入り込んで、蒸気検出センサに到達すると、蒸気検出センサが加熱底部８の停止をトリガする。保護装置２０は、蒸気管路１０の流入開口部１１の周辺における水面の乱流や飛沫を減らすことで、十分な蒸気を発生させて加熱底部８の停止をトリガするために必要な時間にわたって流入開口部１１内に水が入り込むのを防ぐことができる。このような保護装置２０では、自由水面上方の空気体積をポットの容積全体の２０％に減らすことができる。
【００５２】
この考案は、あくまでも例としてのみ取り上げて説明、図示した実施形態だけにいささかも限定されるものでないことは言うまでもない。様々な要素の構成という観点からの変更や、同等の技術による置換えによる変更などは、それによって、この考案の保護対象領域から外れることなく、なお可能である
図示しない１つの変形形態では、保護装置は蓋部の上に設けられる。
【図１】
0003221314.tif 000003
【図２】
0003221314.tif 000004
【図３】
0003221314.tif 000005
【図４】
0003221314.tif 000006
【図５】
0003221314.tif 000007
【手続補正書】
【提出日】平成31年3月20日(2019.3.20)
【手続補正１】
【補正対象書類名】実用新案登録請求の範囲
【補正対象項目名】全文
【補正方法】変更
【補正の内容】
【実用新案登録請求の範囲】
【請求項１】
電気加熱底部（８）の上方に設けられた本体部（３）と、沸騰時に放出される蒸気を蒸気検出センサの方へ運ぶための蒸気管路（１０）とを備え、前記蒸気管路（１０）が前記本体部（３）の内縁（９）に設けられた流入開口部（１１）を備えるポット（１）であって、前記流入開口部（１１）より下で前記本体部（３）の内部に向けて延びる穿孔隔壁（２１）が水および蒸気の上向流に対して大部分で横断方向に延びることで沸騰時に水および蒸気の上向流を少なくとも部分的に阻止し、および／または偏向させる沸騰時の前記蒸気管路（１０）内への水の浸入を防ぐ保護装置（２０）を備えるポット（１）において、前記穿孔隔壁（２１）は、前記流入開口部（１１）が設けられた前記本体部（３）の前記内縁（９）から前記流入開口部（１１）より下で延びることによって、前記内縁（９）に沿って前記電気加熱底部（８）から進行する水および蒸気の上向流に対する障壁を形成し、それによって上向流を前記流入開口部（１１）から遠ざける、ポット（１）。
【請求項２】
前記穿孔隔壁（２１）は前記流入開口部（１１）の下の前記内縁（９）沿いに延びる無孔部分（２０１）を備える、請求項１に記載のポット（１）。
【請求項３】
前記穿孔隔壁（２１）は、沸騰時の水の上向流の垂直方向に対する少なくとも１つの傾斜面（２４）であって、上向流を前記流入開口部（１１）から偏向させて遠ざけるための傾斜面（２４）を有する、請求項１に記載のポット（１）。
【請求項４】
前記穿孔隔壁（２１）は、前記流入開口部（１１）にセンタリングされた円形の自由端（２２）を備える、請求項１乃至３のいずれか一項に記載のポット（１）。
【請求項５】
前記穿孔隔壁（２１）は細長い穿孔穴（２３）を備える、請求項１乃至４のいずれか一項に記載のポット（１）。
【請求項６】
前記穿孔隔壁（２１）は細長い穿孔穴（２３）を備え、
前記保護装置（２０）は、前記細長い穿孔穴（２３）の上方に設けられたブロック手段（２５）を備える、請求項１乃至５のいずれか一項に記載のポット（１）。
【請求項７】
前記ブロック手段（２５）は、前記穿孔隔壁（２１）に対して１から５ミリメートルの間、好ましくは３ミリメートルの距離を隔てて平行に延びる、請求項６に記載のポット（１）。
【請求項８】
前記ブロック手段（２５）は貫通開口部（２６）を有すること、および前記ブロック手段（２５）は水平面への垂直投影で前記穿孔隔壁（２１）の前記細長い穿孔穴（２３）の面積の５０から９０％、好ましくは８０％を覆う、請求項６または７に記載のポット（１）。
【請求項９】
蓋部（４０）を備えること、および前記穿孔隔壁（２１）が前記蓋部（４０）の下に設けられる、請求項１乃至８のいずれか一項に記載のポット（１）。
【請求項１０】
前記蒸気管路（１０）は前記内縁（９）に沿って延びること、および前記蒸気管路（１０）は前記穿孔隔壁（２１）を貫通する、請求項１乃至９のいずれか一項に記載のポット（１）。
【請求項１１】
前記保護装置（２０）は沸騰時の水の上向流の方向に沿った垂直リブ（３０）を備え、前記垂直リブ（３０）は前記穿孔隔壁（２１）の下に設けられて、前記流入開口部（１１）が設けられた前記本体部（３）の前記内縁（９）から前記本体部（３）の内部に向けて延びる、請求項１乃至１０のいずれか一項に記載のポット（１）。
【請求項１２】
前記垂直リブ（３０）は前記流入開口部（１１）に関して径方向に延びる、請求項１１に記載のポット（１）。
【請求項１３】
前記流入開口部（１１）と直径方向に対向するように設けられた注ぎ口（５）を備えること、および前記保護装置（２０）は沸騰時の水および蒸気の上向流を前記注ぎ口（５）の方に偏向させる、請求項１乃至１２のいずれか一項に記載のポット（１）。
【請求項１４】
前記本体部（３）は前記注ぎ口（５）に向かう貫通開口部（１３）を備えること、および前記貫通開口部（１３）は補給最高水位の水面より下に設けられる、請求項１３に記載のポット（１）。